(57)【要約】【課題】個々の可搬型記録媒体内における情報の連続性を確保して記録するだけでなく、複数の可搬型記録媒体間で情報の連続性を容易に確保して記録する情報記録再生装置を提供する。【解決手段】固定型記録媒体３１と、複数の可搬型記録媒体３２と、固定型記録媒体３１から可搬型記録媒体３２へ情報をコピーする際に、固定型記録媒体上の情報と可搬型記録媒体上の情報を比較し、固定型記録媒体上で更新または新規に追加された情報で、可搬型記録媒体上の最小番号を持つコンテンツより大きく、最大番号を持つコンテンツより小さい番号を持つコンテンツのみを固定型記録媒体から可搬型記録媒体にコピーするように制御する制御部とを備えることにより、固定型記録媒体３１から可搬型記録媒体３２上に連続性を保存してコンテンツをコピーする。【選択図】      図１
2005011472.tif 000002
【特許請求の範囲】
【請求項１】
第１の記録媒体および第２の記録媒体に対して情報を記録再生する情報記録再生装置において、
前記第１の記録媒体上で任意の順序で更新または追加される連続性を有するコンテンツを前記第２の記録媒体へ記録し保存する際に、複数の第２の記録媒体に前記コンテンツを記録する記録再生手段と、
前記記録再生手段に対して前記コンテンツの連続性を確保して記録するように制御する制御部と、を備えることを特徴とする情報記録再生装置。
【請求項２】
前記制御部は、前記第１の記録媒体に記録されているコンテンツ及び新たに追加されるコンテンツのデータサイズおよび前記第２の記録媒体の記録容量を算出する記録容量算出手段と、
前記第１の記録媒体に前記追加コンテンツが前記第２の記録媒体に記録できることを判定する空き容量判定手段と、
前記コンテンツを識別するためのコンテンツ番号を含む連続性を確保して記録するために必要な情報である管理情報を生成する管理情報生成／検索手段と、を備え、
前記追加コンテンツのデータサイズと前記追加コンテンツを記録する前記第２の記録媒体の記録容量を記録容量算出手段により算出し、前記追加コンテンツを前記第２の記録媒体に記録できるかについて前記空き容量判定手段により判定し、前記判定した結果に基づき、前記管理情報生成／検索手段により、前記管理情報を更新して全体のコンテンツの連続性を確保して前記追加コンテンツを記録することを特徴とする請求項１に記載の情報記録再生装置。
【請求項３】
前記管理情報生成／検索手段は、前記第１の記録媒体にコンテンツが追加された場合および前記第２の記録媒体にコンテンツのコピーが行われた場合に、操作対象となった前記コンテンツに関する前記管理情報のみを更新することを特徴とする請求項２に記載の情報記録再生装置。
【請求項４】
前記管理情報生成／検索手段は、前記連続性を有する独立のコンテンツ群が同時に複数存在している場合、前記連続性を有する前記コンテンツ群の番号を示すシリーズ番号を生成することを特徴とする請求項２または請求項３に記載の情報記録再生装置。
【請求項５】
前記連続性を有する前記コンテンツを識別する番号を入力する番号入力部を備え、入力された番号を前記コンテンツ番号として用いることを特徴とする請求項２から請求項４のいずれか１項に記載の情報記録再生装置。
【請求項６】
アナログ放送で放送される番組の前記連続性を有するコンテンツであって、前記コンテンツを識別する番号として前記アナログ放送波に重畳されているＥＰＧ情報から取得した話数情報を前記コンテンツ番号として用いることを特徴とする請求項２から請求項４のいずれか１項に記載の情報記録再生装置。
【請求項７】
デジタル放送で放送される番組の前記連続性を有するコンテンツであって、前記コンテンツを識別する番号としてＥＩＴに含まれるエピソード番号を前記コンテンツ番号として用いることを特徴とする請求項２から請求項４のいずれか１項に記載の情報記録再生装置。
【請求項８】
通信回線と接続される送受信部を備え、前記通信回線を介して前記連続性を有するコンテンツを前記送受信部経由で受信し、複数の前記第２の記録媒体にコピーあるいは削除を行うことを特徴とする請求項１から請求項７のいずれか１項に記載の情報記録再生装置。
【請求項９】
通信回線と接続される送受信部を備え、前記通信回線を介して前記連続性を有するコンテンツを前記送受信部経由で送信し、複数の前記第２の記録媒体にコピーあるいは削除を行うことを特徴とする請求項１から請求項７のいずれか１項に記載の情報記録再生装置。
【請求項１０】
前記通信回線を経由してコンテンツ管理サーバから前記連続性を有する前記コンテンツを識別する番号を取得する番号取得手段を備え、取得した番号を前記コンテンツ番号として用いることを特徴とする請求項２から請求項９のいずれか１項に記載の情報記録再生装置。
【発明の詳細な説明】
【０００１】
【発明の属する技術分野】
本発明は、第１の記録媒体と複数の第２の記録媒体を備え、第２の記録媒体に情報の連続性を保持し適切に情報を記録する情報記録再生装置に関する。
【０００２】
【従来の技術】
最近のデジタル技術の進歩により、ＣＳ放送やＢＳ放送などのデジタル放送のストリームデータを記録する記録媒体としてＨＤＤ（ハードディスクドライブ）等の大容量の記録媒体を装備し、録画再生機能やタイムシフト機能などの便利な機能を有する情報機器が増えている。また、最近では、上記機能を搭載したパーソナルコンピュータ（ＰＣ）などの情報機器や、ＨＤＤを記録媒体とするハードディスクビデオなどの家電機器も市場に出回りつつある。これら状況を踏まえて、サーバ型放送などの情報の蓄積を前提とした放送サービスも開始されつつある。
【０００３】
しかし、ＨＤＤ等の主記録媒体は、大容量化が進んだとはいえ、その記録容量には限界があり、また、大切なデータのバックアップを行っておく必要もあるため、別のサブ記録媒体、例えば可搬型記録媒体に記録し、保存する必要がある。主記録媒体に記録したコンテンツを上記記載の取り外し可能な複数の可搬型媒体に記録する場合、一般に、主記録媒体内の記録済みコンテンツの記録日時等をユーザ自身が記録している必要があるという煩雑性を有していた。また、主記録媒体での情報の更新および新規追加の順序に応じて、個々の可搬型記録媒体内では情報の連続性が保たれるが、特に、複数の可搬型記録媒体間での情報の連続性が確保することが困難であるという問題点もあった。
【０００４】
そこで、このような問題点を解決するにあたって、種々の技術が提供されている。例えば、クライアントからファイルの更新状況について問い合わせ要求があると、サーバは、その要求に対して更新情報を転送する。クライアントは更新情報と、これと関連する自己のコンピュータ上の記録媒体に記録されているファイルとを比較し、必要に応じてファイルの更新を行うことにより、サブ記録媒体とを含む複数の記録媒体に関してその内容を常に最新のものとするネットワークシステムが開示されている（例えば、特許文献１参照）。
【０００５】
【特許文献１】
特開平１１−１２００５９号公報
【０００６】
【発明が解決しようとする課題】
しかし、上記特許文献１に記載の技術では、コンテンツを最新のものにするために、サーバ／クライアント型のネットワークシステムでは、複雑かつコストが大きくなるとういう問題点がある。
【０００７】
そこで、本発明は、上述した時情に鑑みて提案されたもので、簡単な構成により、主記録媒体から複数のサブ記録媒体に連続性を有するコンテンツを記録する場合、複数のサブ記録媒体間での情報の連続性を確保し、記録することを可能とする情報記録再生装置を提供することを目的とするものである。
【０００８】
【課題を解決するための手段】
本発明に係る情報記録再生装置は、第１の記録媒体および第２の記録媒体に対して情報を記録再生する情報記録再生装置において、前記第１の記録媒体上で任意の順序で更新または追加される連続性を有するコンテンツを前記第２の記録媒体へ記録し保存する際に、複数の第２の記録媒体に前記コンテンツを記録する記録再生手段と、前記記録再生手段に対して前記コンテンツの連続性を確保して記録制御する制御部とを備えることを特徴とする。
【０００９】
本発明に係る情報記録再生装置は、前記制御部が、前記第１の記録媒体に記録されているコンテンツ及び新たに追加されるコンテンツのデータサイズおよび前記第２の記録媒体の記録容量を算出する記録容量算出手段と、前記第１の記録媒体に前記追加コンテンツが前記第２の記録媒体に記録できることを判定する空き容量判定手段と、前記コンテンツを識別するためのコンテンツ番号を含む連続性を確保して記録するために必要な情報である管理情報を生成する管理情報生成／検索手段と、を備え、前記追加コンテンツのデータサイズと前記追加コンテンツを記録する前記第２の記録媒体の記録容量を記録容量算出手段により算出し、前記追加コンテンツを前記第２の記録媒体に記録できるかについて前記空き容量判定手段により判定し、前記判定した結果に基づき、前記管理情報生成／検索手段により、前記管理情報を更新して全体のコンテンツの連続性を確保して前記追加コンテンツを記録することを特徴とする。
【００１０】
本発明に係る情報記録再生装置は、前記管理情報生成／検索手段が、前記第１の記録媒体にコンテンツが追加された場合および前記第２の記録媒体にコンテンツのコピーが行われた場合に、操作対象となった前記コンテンツに関する前記管理情報のみを更新することを特徴とする。
【００１１】
本発明に係る情報記録再生装置は、前記管理情報生成／検索手段が、前記連続性を有するコンテンツ群が同時に複数存在している場合、前記連続性を有するコンテンツ群の番号を示すシリーズ番号を生成することを特徴とする。
【００１２】
本発明に係る情報記録再生装置は、前記連続性を有するコンテンツを識別する番号を入力する番号入力部を備え、入力された前記番号をコンテンツ番号として用いることを特徴とする。
【００１３】
本発明に係る情報記録再生装置は、アナログ放送で放送される番組の前記連続性を有するコンテンツであって、前記識別する番号として前記アナログ放送波に重畳されているＥＰＧ情報から取得した話数情報を前記コンテンツ番号として用いることを特徴とする。
【００１４】
本発明に係る情報記録再生装置は、デジタル放送で放送される番組の前記連続性を有するコンテンツであって、前記識別する番号としてＥＩＴに含まれるエピソード番号を前記コンテンツ番号として用いることを特徴とする。
【００１５】
本発明に係る情報記録再生装置は、通信回線と接続される送受信部を備え、前記通信回線を介して前記連続性を有するコンテンツを前記送受信部経由で受信し、複数の前記第２の記録媒体にコピーあるいは削除を行うことを特徴とする。
【００１６】
本発明に係る情報記録再生装置は、通信回線と接続される送受信部を備え、前記通信回線を介して前記連続性を有するコンテンツを前記送受信部経由で送信し、複数の前記第２の記録媒体にコピーあるいは削除を行うことを特徴とする。
【００１７】
本発明に係る情報記録再生装置は、前記通信回線を経由してコンテンツ管理サーバから前記連続性を有する前記コンテンツを識別する番号を取得する番号取得手段を備え、取得した番号を前記コンテンツ番号として用いることを特徴とする。
【００１８】
本発明によれば、サーバ・クライアント等のネットワークのような複雑な構成とすることなく、簡単な構成により、第１の記録媒体から複数の第２の記録媒体に連続性を有するコンテンツを記録する場合、制御部により、複数の第２の記録媒体間での情報の連続性を確保し、記録・削除等を行うことができる。また、複数のシリーズの連続性を有するコンテンツ群の記録にも対応することができる。
【００１９】
【発明の実施の形態】
以下、本発明の実施形態について、添付した図面を参照して詳細に説明する。
【００２０】
（第１の実施形態）
図１は、第１の実施形態に係る情報記録再生装置の基本構成を示すブロック図である。記録再生装置１は、例えば、ＢＳデジタル／ＣＳデジタル放送を受信し、画像データ等の大容量のデータを記録再生できる装置にも対応可能な装置である。記録再生装置１は、制御部１１、記録再生手段２１，２２、第１の記録媒体である固定記録媒体３１、第２の記録媒体である可搬型記録媒体（各記録媒体は、番号１〜ｎで図示）３２、受信部４１、バッファ５１、および番号入力部６１から構成される。固定型記録媒体３１にデジタル放送波データを記録する場合に、先ず、制御部１１の指示に基づき、受信部４１は、デジタル放送波の受信準備を行い、デジタル放送波を受信する。次に、記録再生手段２１は、受信部４１によって受信されたデジタルデータをバッファ５１に一時的に記録した後、固定型記録媒体３１に記録するように制御処理し、記録する。この固定型記録媒体３１にデジタルデータを記録する処理は、一般的なハードディスクにＢＳデジタル／ＣＳデジタル放送を録画再生する従来の録画再生装置における処理と同じであるので、動作の説明は省略する。
【００２１】
また、可搬型記録媒体３２にデジタル放送波データを記録する場合（例えば、記録媒体番号１に記録）には、上記の固定型記録媒体３１に記録する場合と同様に、制御部１１の指示に基づき、受信部４１は、デジタル放送波の受信準備を行い、デジタル放送波を受信する。記録再生手段２２は、受信部４１によって取り込んだデジタルデータをバッファ５１に一時的に記録した後、可搬型記録媒体３２に記録するように制御処理し、記録する。この記録再生手段２２によるデータの記録処理は、書き込み可能なＤＶＤにＢＳデジタル／ＣＳデジタル放送を録画再生する録画再生装置の処理と同じであるので、詳細な動作の説明は記録再生手段２１と同様に省略する。可搬型記録媒体３２としては、書き込み可能なＤＶＤも使用可能であるが、例えば、リムーバブルハードディスクを使用することも可能である。リムーバブルハードディスクは可搬でありながら、大容量高速アクセスといった性質を持ち、ＢＳデジタル／ＣＳデジタル放送を記録するのに適している。
【００２２】
次に、固定型記録媒体３１から、可搬型記録媒体３２にコピーする動作について説明する。
【００２３】
制御部１１の制御の下で記録再生手段２１は、固定型記録媒体３１からコピー元のデータをバッファ５１へ読み出す。記録再生手段２２は、バッファ５１から書き込まれたデータを読み込み、可搬型記録媒体３２に書き込む。
【００２４】
なお、記録再生手段２２によるバッファ５１からデジタルデータを読み込み、可搬型記録媒体３２にコピーおよび削除等において、バッファ５１、記録再生手段２１，２２に対する具体的制御動作は、制御部１１の各記録再生制御手段等によって実行される。
【００２５】
固定型記録媒体３１上に任意の順序で更新または追加される連続性を有するコンテンツを逐次可搬型記録媒体３２へコピーする際に、その追加等のコンテンツのデータ量が大きく、１つの可搬型記録媒体３２に収まりきれない場合がある。このように複数個の可搬型記録媒体３２が必要になった場合においても、複数の可搬型記録媒体３２間でコンテンツの連続性を確保して記録制御する制御器１１の動作について図２を用いて説明する。
【００２６】
図２には、図１における固定型記録媒体３１に相当する固定型記録媒体１３１及び可搬型記録媒体３２（記録媒体番号１〜ｎ）に相当する可搬型記録媒体１３２ａ、１３２ｂおよび１３２ｃが図示されている。
【００２７】
図２は、固定型記録媒体１３１内に情報が記録されている状態を示す図である。固定型記録媒体１３１には、コンテンツ番号１，２，４，５，６，７，８，９，１０および１１が記録されている。コンテンツ番号の指定方法については後述する。この状態において、可搬型記録媒体にコンテンツをコピーするためには、可搬型記録媒体１３２ａ、１３２ｂ、１３２ｃの順に接続する。可搬型記録媒体１３２ａにはコンテンツ番号１，２，４，５のコンテンツが、可搬型記録媒体１３２ｂにはコンテンツ番号６，７，８，９のコンテンツが、可搬型記録媒体１３２ｃにはコンテンツ番号１０，１１のコンテンツが記録される。このとき、固定型記録媒体１３１上の管理情報７１には、各コンテンツを識別するコンテンツ番号と格納先記録媒体番号の情報が記録される。
【００２８】
上記に示した固定型記録媒体１３１から可搬型記録媒体１３２ａ、１３２ｂ、１３２ｃにコンテンツをコピーするときの例を図３に示す処理フロー図を用いて説明する。まず、制御部１１の記録再生制御手段１４は、記録再生手段２１を制御し、記録再生手段２１は、固定型記録媒体１３１上の管理情報７１を制御部１１に読み込む。上記管理情報生成／検索手段１３は、コピーしていないコンテンツをコンテンツ番号順に検索する（ステップＳ１）。ここでコピーしていないコンテンツがない場合（ステップＳ２；ｎｏ）は、処理を終了する。コピーしていないコンテンツがある場合（ステップＳ２；ｙｅｓ）は、記録容量算出手段１２が、コンテンツの容量及びコピー先の可搬型記録媒体の空き容量が充分かどうかを判定する（ステップＳ３）。ここでは、例えば、可搬型記録媒体１３２ａ〜１３２ｃの順番に空き容量が充分かどうかを判定することになる。充分でない場合（ステップＳ３；ｎｏ）、制御部１１の制御により、記録再生装置の表示手段（図１には図示していない）は、可搬型記録媒体を入れ替えるように、利用者に促すメッセージを表示する（ステップＳ４）。ここで、可搬型記録媒体の入れ替えの順番は、上述したように１３２ａ，１３２ｂ、１３２ｃの順となる。充分な場合は、記録再生制御手段１４の制御の下、記録再生手段２１により、記録固定型記録媒体１３１からバッファ５１にコンテンツを記録する。記録されたコンテンツを記録再生手段２２により、コンテンツを読み出し、可搬型記録媒体にコピーする（ステップＳ５）。その後、管理情報生成／検索手段１３は、管理情報７１を更新し（ステップＳ６）、ステップＳ１に戻り、コピーしていないコンテンツがなくなるまで上記処理を繰り返す。
【００２９】
次に、上記状態の固定型記録媒体１３１に対して、特定のコンテンツ番号３のコンテンツを追加して記録し、可搬型記録媒体１３２ａにコピーする場合について説明する。
【００３０】
図４は、図２の状態の固定型記録媒体１３１に、コンテンツ番号３のコンテンツを追加して記録した場合を示している。固定型記録媒体１３１にコンテンツ３の記録を行うと同時に、制御部１１の管理情報生成／検索手段１３は、管理情報７１の更新処理を行う。即ち、制御部１１の管理情報生成／検索手段１３により格納予定記録媒体１３２ａの情報が記載された管理情報７１が固定記録媒体１３１に生成されて、記録される。管理情報７１に示すように、コンテンツ番号３より大きなコンテンツ番号の内、最小のコンテンツ番号４を有するコンテンツが記録されている可搬型記録媒体１３２ａにコンテンツ番号３が格納される予定となる。
【００３１】
上記管理情報７１の更新処理について図５の処理フローを用いて説明する。
【００３２】
管理情報生成／検索手段１３は、追加したコンテンツ番号３の次のコンテンツ番号４から順番にコピー済みのコンテンツを検索し（ステップＳ１１）、見つけたコンテンツ番号４の格納先記録媒体番号（ここでは、可搬型記録媒体１３２ａ）を格納予定記録媒体に設定する（ステップＳ１２）。このようにして、図２に示す管理情報７１は、図４に示すような管理情報７１に更新される。
【００３３】
図６は、固定型記録媒体１３１と可搬型記録媒体１３２ａとを接続した状態を示している図である。コンテンツ３は、可搬型記録媒体１３２ａにコピーされる予定となっているが、制御部１１の記録容量算出手段１２によって可搬型記録媒体１３２ａにコンテンツ３を格納するのに十分な空き容量があるかどうかを判定するために記憶容量を算出する。この場合、記録容量算出手段１２によって、コンテンツ５の容量を算出し、空き容量判定手段１５は、空き容量が存在しないと判定すると、可搬型記録媒体１３２ａからコンテンツ５を削除した後に、コンテンツ３をコピーする。コンテンツ５は、管理情報７１において可搬型記録媒体１３２ｂにコピーされる予定に設定される。なお、このとき、固定型記録媒体１３１上でコンテンツ５が削除されてしまっている場合は、可搬型記録媒体１３２ａからコンテンツ５を固定型記録媒体にコピーした後に、可搬型記録媒体１３２ａ上のコンテンツ５を削除して可搬型記録媒体１３２ａにコンテンツ３をコピーする。
【００３４】
図７の処理フローを用いて上記コピーの動作を説明する。まず、図３のステップＳ１と同様に、記録再生制御手段１４の制御の下、記録再生手段２１によって固定型記録媒体３１の管理情報７１を読み込み、管理情報生成／検索手段１３は、可搬型記録媒体にコピーしていないコンテンツがないかどうかをコンテンツ番号が小さい順に検索し（ステップＳ２１）、無い場合（ステップＳ２１；ｎｏ）は、処理を終了する（ステップＳ２１；ｎｏ）。コピーしていないコンテンツがある場合は、空き容量判定手段１５によってコピー先の容量が充分かどうかを判定する。容量が充分でない場合（ステップＳ２２；ｎｏ）は、移動先で一番大きなコンテンツ番号のコンテンツを固定型記録媒体に移動する（ステップＳ２３）。ここでは、コンテンツ番号５を有するコンテンツを示す。なお、移動後も充分な空き容量が確保できない場合は、ステップＳ２３を繰り返す。空き容量が確保できたら、コンテンツのコピーを行い（ステップＳ２４）、管理情報７１を更新し（ステップＳ２５）、ステップＳ２１に戻る。このように、コピーしていないコンテンツがなくなるまで繰り返す。
【００３５】
次に、図８は、固定型記録媒体１３１と可搬型記録媒体１３２ｂを接続した状態を示している。
【００３６】
図６と同様に、可搬型記録媒体１３２ｃからコンテンツ９を削除した後にコンテンツ５をコピーする。コンテンツ９は可搬型記録媒体３にコピーされる予定に設定される。固定型記録媒体１３１上でコンテンツ９が削除されてしまっている場合は、同様にコンテンツ９を固定型記録媒体１３１にコピーし、可搬型記録媒体１３２ｂから削除した後にコンテンツ５を可搬型記録媒体１３２ｂにコピーする。なお、処理フローは、図７と同様である（図示していない）。
【００３７】
図９は、固定型記録媒体１３１と可搬型媒体１３２ｃを接続した状態を示している。コンテンツ９は可搬型記録媒体１３２ｃにコピーされる予定となっており、可搬型記録媒体１３２ｃには十分な空き容量があるため、コンテンツ９を可搬型媒体１３２ｃにコピーする。なお、処理フローは、図７と同じである（図示していない）。
【００３８】
以上、説明したように、例えば、複数の可搬型記録媒体１３２ａ、１３２ｂ、１３２ｃ間においてコンテンツの連続性を確保して記録することが可能である。
【００３９】
また、固定型記録媒体１３１にコンテンツが追加された場合および、固定型記録媒体１３１と可搬型記録媒体１３２ａ、１３２ｂおよび１３２ｃを接続した際にコンテンツのコピーおよび削除が行われた場合に、操作対象となったコンテンツに関する管理情報７１のみを更新する（図４、図６、図８に図示）。この時、可搬型記録媒体（ここでは、記録媒体番号１３２ａ，１３２ｂ、１３２ｃ）を順序通りに接続してコンテンツのコピーおよび削除を行う必要がある。
【００４０】
本実施形態におけるコンテンツの番号付けについて説明する。ここで、コンテンツの番号とは、管理情報７１に含まれるコンテンツの識別を示す番号である。コンテンツがＢＳ／ＣＳデジタル放送の場合、例えば、ＥＩＴ（Ｅｖｅｎｔ  Ｉｎｆｏｒｍａｔｉｏｎ  Ｔａｂｌｅ）のシリーズ記述子に含まれるｅｐｉｓｏｄｅ＿ｎｕｍｂｅｒ（話数）を使用することができる。ＥＩＴは、受信部４１で受信され、抽出処理される。しかしながら抽出処理に関しては、ＢＳ／ＣＳデジタル放送受信機における処理と同等であるのでここでは説明は省略する。また、コンテンツ番号としては、利用者が希望する番号を用いてもよい。例えば、この番号は、番号入力部６１を介して指定される。その場合は、制御部１１の表示手段（図１には図示していない）は、コンテンツの一覧を表示し、連続性を有したコンテンツを選択できるようにする。選択したコンテンツに対して、管理情報生成／検索手段１３は、上記番号入力部６１を介して指定された番号をコンテンツ番号として指定する。
【００４１】
また、本実施形態では、受信部４１によってＢＳデジタル／ＣＳデジタル放送が受信され、デジタルデータを取扱う例を示しているが、地上波のＵＶ放送を受信し、ＭＰＥＧエンコーダーによって変換されたデジタルデータを取り扱うこととしても良い。そのような場合の構成も、現存する録画再生装置と同様の構成を取れるので、説明は省略する。
さらに、コンテンツがアナログ放送の場合、アナログ放送に重畳されているＥＰＧ（Ｅｌｅｃｔｒｏｎｉｃ  Ｐｒｏｇｒａｍ  Ｇｕｉｄｅ）情報（アナログＥＰＧ）から取得した話数情報をコンテンツ識別番号として使用することもできる。
【００４２】
また、管理情報７１は固定型記録媒体１３１上に記録しているが、記録再生装置１内の不揮発性メモリ（図示していない）に記録するようにしても良い。
【００４３】
次に、可搬型記録媒体を任意の順番で接続しても、情報の連続性を確保して記録制御することができる制御部１１の動作について説明する。
【００４４】
制御部１１は、固定型記録媒体１３１上の各コンテンツのデータサイズおよび各可搬型記録媒体の記録容量の情報を予め得ておき、固定型記録媒体１３１にコンテンツが追加された際にすべてのコンテンツに対して格納すべき可搬型記録媒体を割り当てる動作を行う。
【００４５】
ここでは、可搬型媒体１３２ｃ、１３２ｂ、１３２ａの順に接続した場合の例を以下に説明する。
【００４６】
図１０は初期状態を説明するための図である。この状態は、図２に示した状態と同じであるので、説明は省略する。
【００４７】
図１１は、初期状態の固定型記録媒体１３１に対して、コンテンツ番号３のコンテンツを追加して記録した場合を示している。固定型記録媒体１３１にコンテンツ番号３のコンテンツの記録を行うと同時に、制御部１１の管理情報生成／検索手段１３は、管理情報７１の更新処理を行う。なお、コンテンツ番号１，２，４，５のコンテンツは可搬型記録媒体１３２ａ、コンテンツ番号６，７，８，９のコンテンツは可搬型記録媒体１３２ｂ、コンテンツ番号１０，１１のコンテンツは可搬型記録媒体１３２ｃに初期状態で記録されている。
【００４８】
この時の処理フローについて、図１２を用いて説明する。まず、全てのコンテンツに対して未チェックのコンテンツがあるかどうかを判定する（ステップＳ３１）。全てのコンテンツに対し未チェックのコンテンツがない場合（ステップＳ３１；ｎｏ）は、管理情報７１を更新し（ステップＳ３２）、終了する。未チェックのコンテンツがある場合（ステップＳ３１；ｙｅｓ）、空き容量判定手段１５は、コンテンツ番号が若い順に、コンテンツの容量を加算する（ステップＳ３３）。そして、可搬型記録媒体の容量を越えていないかを判断する（ステップＳ３４）。可搬型記録媒体の容量を越えた場合（ステップＳ３４；ｙｅｓ）は、記録媒体番号を更新する（ステップＳ３５）。越えていない場合（ステップＳ３４；ｎｏ）は、現在格納されている可搬型記録媒体と、格納予定の可搬型記録媒体が同じかどうかを判断する（ステップＳ３６）。同じでない場合（ステップＳ３６；ｎｏ）、管理情報生成／検索手段１３は、管理情報７１を更新する（ステップＳ３７）。同じ場合（ステップＳ３６；ｙｅｓ）には、管理情報７１を更新しない。以上の処理について、全てのコンテンツについて行うため、ステップ３１に戻る。
【００４９】
次に、図１３を用いて、固定型記録媒体１３１に可搬型記録媒体１３２ｃを接続した時の動作を説明する。上記生成された管理情報７１によって、コンテンツ９は、可搬型記録媒体１３２ｃにコピーされる予定となっているため、コンテンツ９を可搬型記録媒体１３２ｃにコピーする。コンテンツ番号１０および１１のコンテンツはすでに可搬型記録媒体１３２ｃ上に存在するため、コンテンツ管理情報を更新するのみで，コンテンツに対する操作は行わない。
【００５０】
図１４の処理フローを用いて説明すると、まず、格納予定の記録媒体と実際に格納されている記録媒体が違うコンテンツは、可搬型記録媒体から固定型記録媒体にコピーを行う（ステップＳ４１）。次に、コピーの結果、不要になったコンテンツを削除する（ステップＳ４２）。最後に、格納予定なのに格納されていないコンテンツを固定型記録媒体１３１から可搬型媒体にコピーする（ステップＳ４３）。
【００５１】
次に、図１５を用いて、固定型記録媒体１３１と可搬型記録媒体１３２ｂを接続した状態を説明する。コンテンツ９は可搬型記録媒体１３２ｃにコピー済みであるので、可搬型記録媒体１３２ｂからコンテンツ９を削除する。また、コンテンツ５は可搬型記録媒体１３２ｂにコピーされる予定となっているため、コンテンツ５を可搬型記録媒体１３２ｂにコピーする。なお、処理フローは、図１４と同じである。
【００５２】
最後に、図１６を用いて、固定型記録媒体１３１と可搬型記録媒体１３２ａを接続した状態を説明する。コンテンツ５は可搬型記録媒体１３２ｂにコピー済みであるので、可搬型記録媒体１３１からコンテンツ５を削除する。また、コンテンツ３は可搬型記録媒体１３２ａにコピーされる予定となっているため、コンテンツ３を可搬型記録媒体１３２ａにコピーする。なお、処理フローは、図１４と同じである。
【００５３】
以上のようにすることで、複数の可搬型記録媒体１３２ａ、１３２ｂ、１３２ｃ間で、可搬型記録媒体の接続の順番に関係なく、情報の連続性を確保して記録することができる。
【００５４】
また、連続性を有するコンテンツ群（以下、シリーズコンテンツという）は、１種類であったが、複数のシリーズコンテンツを取り扱うことも可能である。複数のシリーズコンテンツを取り扱う際には、管理情報７１にコンテンツ番号等の情報の他にシリーズコンテンツ番号も含めて記録する。そして、コンテンツの格納先の可搬型記録媒体は、コンテンツ番号の他にシリーズコンテンツ番号も用いて決定する。
【００５５】
（第２の実施形態）
図１７は、第２の実施形態に係る情報記録再生装置２０１のブロック図である。
【００５６】
第１の実施形態では、固定型記録媒体及び可搬型記録媒体の両方の記録媒体を搭載し、固定型記録媒体に記録されていた元のコンテンツを複数の可搬型記録媒体にコピーする形態である。一方、本実施形態では、通信回線を介して、送信されるコンテンツを複数の可搬型記録媒体に直接コピーするものである。通信回線を経由してコピー元の記録再生装置３０１上のコンテンツを可搬型記録媒体にコピーすることが可能な構成例を説明する。なお、コピー元の記録再生装置３０１−１からコピー元の記録再生装置３０１−ｎで示す複数の記録再生装置３０１は、ネットワーク通信回線上に接続されている形態をとっている。
【００５７】
本実施形態の記録再生装置２０１は、制御部２１１、録画再生手段２２２、可搬型媒体クセス部２３２、送受信部２４１、バッファ２５１、番号入力部２６１から構成される。記録再生装置２０１は、通信回線とのインタフェース機能を有する送受信部２４１を備えており、通信回線と接続されている別の記録再生装置３０１に記録されているコンテンツを受信することが可能な装置である。可搬型記録媒体アクセス部２３２を経由して可搬型記録媒体に記録する場合には、制御部２１１の制御にしたがって動作する送受信部２４１によってコピー元の記録再生装置３０１からコンテンツを受信する。受信されたコンテンツは、記録再生手段２２２によってバッファ２５１を介して可搬型記録媒体に記録される。このようにして、通信回線を介して送信されるコンテンツは、記録再生装置２０１の可搬記録媒体にコピーされる。
【００５８】
なお、送受信部２４１におけるコンテンツの送受信については、現存する汎用通信回線経由で所定のプロトコルを使用してコンテンツを送受信する構成と同等であるのでここでは説明は省略する。
【００５９】
また、コンテンツのコピーの動作に関しては、第１の実施形態と同様であるので説明は省略する。ただし、上記のように固定型記録媒体を設けない構成の場合には、コンテンツに関する管理情報７１は、記録再生装置内の不揮発性メモリ（図示していない）内に記録されるようにする。
【００６０】
さらに、本実施形態における情報記録再生装置２０１は、固定型記録媒体を備えていなかったが、固定型記録媒体をも備えるような構成にしても良い。
【００６１】
次に、上述した第１の実施形態で説明したコンテンツを識別する番号であるコンテンツ番号の取得について説明する。
本実施形態では、コピー元の記録再生装置３０１がネットワーク通信回線上に接続されている形態をとっているが、コンテンツ管理情報の全体を管理するコンテンツ管理サーバ６００を設け、コンテンツ関係の管理を行う。図１７に示す情報記録再生装置３０１の制御部１１の番号取得手段１６（図１８に図示）により、固定型記録媒体３１に格納されているコンテンツに対応したコンテンツ番号をこのコンテンツ管理サーバ内のコンテンツのデータベースから取得する。
このように、コンテンツ管理情報を一元管理するコンテンツ管理サーバ６００とのデータの交換を行うことのみにより、複雑な構成をとることもなく、コンテンツのコピー又は削除等を行うことができる。
【００６２】
（第３の実施形態）
図１８は、第３の実施形態に係る情報記録再生装置５０１のブロック図である。
本実施形態では、本実施形態では、通信回線を介して、送信する情報を複数の可搬型記録媒体に直接コピーするものである。コピー元の記録再生装置５０１からコピー元の記録再生装置４０１−ｎで示す複数の情報記録再生装置４０１は、ネットワーク通信回線上に接続されている形態をとっている。通信回線を介して送信するコンテンツは、情報記録再生装置４０１の可搬記録媒体にコピーされる。コピー元の情報記録再生装置５０１の各部および各手段の動作は、通信回線を介してコンテンツを複数の情報記録再生装置４０１に送信してコピー又は削除を行う以外に第２の実施形態の情報記録再生装置２０１と同様である。
【００６３】
さらに、本実施形態における情報記録再生装置４０１は、可搬型記録媒体を備えていなかったが、可搬型記録媒体をも備えるような構成にしても良い。
【００６４】
次に、コンテンツ管理情報の取得について説明する。
コンテンツ番号を含むコンテンツ管理情報は、コンテンツ管理サーバ６００により、第２の実施形態と同様に、一元管理されているが、コンテンツ管理サーバのコンテンツ管理情報は、一旦、ネットワーク通信回線に接続されている１つの情報記録再生装置４０１―ｎに入力され、その後、ローカル通信回線を介して、番号取得手段１６により、固定型記録媒体５３２の管理情報７１に書き込まれる。
このように、第２の実施形態と同様に、コンテンツ管理情報を一元管理するコンテンツ管理サーバ６００とのコンテンツ管理情報の交換を行うことのみにより、複雑な構成をとることもなく、コンテンツのコピー又は削除等を行うことができる。
【００６５】
【発明の効果】
以上、説明したように、固定型記録媒体上または別の情報記録再生装置に記録されているコンテンツの最新の更新状態を可搬型記録媒体上に反映することができ、複数の可搬型記録媒体間でコンテンツの連続性を確保して、記録・削除等を行うことが容易に可能である。
【図面の簡単な説明】
【図１】本発明の第１の実施形態に係る情報記録再生装置の基本構成を示すブロック図である。
【図２】固定型記録媒体１３１内に情報が記録されている状態を示す図である。
【図３】固定型記録媒体１３１から可搬型記録媒体１３２ａ、１３２ｂ、１３２ｃにコンテンツをコピーするときの例を示す処理フロー図である。
【図４】図２の状態の固定型記録媒体１３１に、コンテンツ番号３のコンテンツを追加して記録した場合を示している説明図である。
【図５】管理情報７１の更新処理について示す処理フロー図である。
【図６】固定型記録媒体１３１と可搬型記録媒体１３２ａとを接続した状態を示している説明図である。
【図７】コピーの動作を説明する処理フロー図である。
【図８】固定型記録媒体１３１と可搬型記録媒体１３２ｂを接続した状態を示す説明図である。
【図９】固定型記録媒体１３１と可搬型媒体１３２ｃを接続した状態を示す説明図である。
【図１０】初期状態を説明するための説明図である。
【図１１】初期状態の固定型記録媒体１３１に対して、コンテンツ番号３のコンテンツを追加して記録した場合を示す説明図である。
【図１２】図１２を用いて説明する処理フロー図である。
【図１３】固定型記録媒体１３１に可搬型記録媒体１３２ｃを接続した時の動作を説明する説明図である。
【図１４】図１３の動作を説明する処理フロー図である。
【図１５】固定型記録媒体１３１と可搬型記録媒体１３２ｂを接続した状態を説明する説明図である。
【図１６】固定型記録媒体１３１と可搬型記録媒体１３２ａを接続した状態を説明する説明図である。
【図１７】本発明の第２の実施形態に係る情報記録再生装置の概略構成を示すブロック図である。
【図１８】本発明の第３の実施形態に係る情報記録再生装置の概略構成を示すブロック図である。
【符号の説明】
１、２０１、３０１            情報記録再生装置
４０１、５０１                情報記録再生装置
１１、２１１、５１１          制御部
１２                          記録容量算出手段
１３                          管理情報生成／検索手段
１４                          記録再生制御手段
１５                          空き容量判定手段
１６                          番号取得手段
２１、２２、２２２、５２２    記録再生手段
３１、１３１、５３２          固定型記録媒体
３２、２３２                  可搬型記録媒体
１３２ａ、１３２ｂ、１３２ｃ  可搬型記録媒体
４１                          受信部
５１、２５１、５５１          バッファ
６１、２６１、５６１          番号入力部
７１                          管理情報
２４１、５４１                送受信部
【図１】
2005011472.tif 000003
【図２】
2005011472.tif 000004
【図３】
2005011472.tif 000005
【図４】
2005011472.tif 000006
【図５】
2005011472.tif 000007
【図６】
2005011472.tif 000008
【図７】
2005011472.tif 000009
【図８】
2005011472.tif 000010
【図９】
2005011472.tif 000011
【図１０】
2005011472.tif 000012
【図１１】
2005011472.tif 000013
【図１２】
2005011472.tif 000014
【図１３】
2005011472.tif 000015
【図１４】
2005011472.tif 000016
【図１５】
2005011472.tif 000017
【図１６】
2005011472.tif 000018
【図１７】
2005011472.tif 000019
【図１８】
2005011472.tif 000020